(57)【要約】【課題】革に健康増進作用を生じさせる機能を付与するとともに、それを長期間に亘って維持させ得る加脂剤を提供する。【解決手段】本発明の加脂剤Ｋは、健康増進物質の粉末２、例えば放射性を有するレアアース鉱石や遠赤外線放射体の粉末が９重量％〜１５重量％の割合で混入されてなるものである。本発明の加脂剤は、従来の加脂剤と同様に使用することができるばかりでなく、革に健康増進作用を生じさせる機能を付与し、その機能を長期にわたって維持させることができる。【選択図】  図１
2004175835.tif 000002
【特許請求の範囲】
【請求項１】
健康増進物質の粉末が所定割合で混入されてなることを特徴とする加脂剤。
【請求項２】
前記健康増進物質が、放射性を有するレアアース鉱石および／または遠赤外線放射体であることを特徴とする請求項１記載の加脂剤。
【請求項３】
前記粉末のサイズが、０．５μｍ〜５μｍの範囲とされてなることを特徴とする請求項１記載の加脂剤。
【請求項４】
前記所定割合が、９重量％〜１５重量％の範囲とされてなることを特徴とする請求項１記載の加脂剤。
【発明の詳細な説明】
【０００１】
【発明の属する技術分野】
本発明は加脂剤に関する。さらに詳しくは、革に健康増進作用を生じさせる加脂剤に関する。
【０００２】
【従来の技術】
近年、いわゆるシックハウス症候群という用語の一般化に見られるように、健康を維持する上での住環境の重要性が認識されるようになってきている。特に、現代の住居は気密性が高く換気不良に陥りやすいため、室内のホルムアルデヒドなどの各種有害物質の濃度が高めになる一方で各種有用物質の濃度は低下してしまい、これを原因として様々な健康障害が引き起されることが指摘されている。
【０００３】
そして、換気不良や環境汚染により不足する有用物質として、マイナスイオンが注目されるようになってきている。すなわち、大気中には主に水（水蒸気）が電離したイオンが存在するが、これらのイオンは空気中で粉塵等の浮遊物に付着して浮遊物を沈降させ、これら浮遊物を空中から除去するといった空気清浄化作用のあることが知られている。
【０００４】
また、特にマイナスイオンは、自律神経による細胞膜の膜電位調整機能、すなわち細胞内のカリウムイオン濃度やナトリウムイオン濃度を一定に保つ、細胞の恒常性維持機能に大きく寄与することが知られている。そのため、室内に一定量以上のマイナスイオンを確保することは、住環境を健康的なものとする上で必須の要件であるものとされる。
【０００５】
このため、従来、室内空気中のマイナスイオンの量を増やすために、いわゆる空気清浄機として送風通路に電極を配し、これにより空気中の酸素分子を電離させてイオンを生成するとともに、このとき発生するオゾンをオゾン分解触媒により除去し、これにより多数のマイナスイオンを放出させるようにしたマイナスイオン生成機が提案され、かつ実施されている。
【０００６】
ところが、このような従来のマイナスイオン生成機（以下、従来装置という）は、電力を消費しながらイオンを生成するものとされるため、ランニングコストが高く、また省資源といった観点からも好ましいものとはいえない。さらには、生成機自体もある程度高価なものとなってしまうため、結果としてコストを抑えることが困難であるといった問題がある。
【０００７】
すなわち、従来装置では、マイナスイオンなどの健康有用物質を人の周囲に供給するといった、健康増進作用を低コストに得ることが困難であるという問題がある。かかる問題を解決する方策の一つとして、繊維に放射性鉱物の粉末を混入してなる健康材料が提案されている（特公平８−８９３４号）。
【０００８】
しかしながら、前記提案では繊維の製造工程に粉末を混入する工程を特別に追加せねばならず、工数が増加し製造コストが増大する上に、鉱物粉末を繊維に定着させる充分な方策が施されておらず、それがため長期間に亘って健康増進作用を維持させることが困難であるといった別の問題がある。
【０００９】
ところで、繊維と同様に、革（皮をなめしたもの）も人類に長く利用されており、現代人の生活においても革製品が多く愛用されている。そこで、革製品に健康増進作用を生じさせる機能を付与するとともに、それを長期間に亘って維持させることができれば、環境悪化に伴う健康障害を解消する一助となし得る。
【００１０】
【発明が解決しようとする課題】
本発明はかかる従来技術の課題に鑑みなされたものであって、革に健康増進作用を生じさせる機能を付与するとともに、それを長期間に亘って維持させ得る加脂剤を提供することを目的としている。
【００１１】
【課題を解決するための手段】
本発明の加脂剤は、健康増進物質の粉末が所定割合で混入されてなることを特徴とする。
【００１２】
本発明の加脂剤においては、前記健康増進物質が放射性を有するレアアース鉱石および／または遠赤外線放射体であるのが好ましい。
【００１３】
また、本発明の加脂剤においては、前記粉末のサイズが０．５μｍ〜５μｍの範囲とされてなるのが好ましい。
【００１４】
さらに、本発明の加脂剤においては、前記所定割合が９重量％〜１５重量％の範囲とされてなるのが好ましい。
【００１５】
【作用】
本発明の加脂剤は、前記の如く構成されているので、従来の加脂剤と同様にして使用するだけで、革に健康増進作用を生じさせる機能を付与できる。また、健康増進物質の粉末は、基剤に随伴して皮繊維に浸透するので、長期間に亘って健康増進作用を維持できる。
【００１６】
【発明の実施の形態】
以下、添付図面を参照しながら本発明を実施形態に基づいて説明するが、本発明はかかる実施形態のみに限定されるものではない。
【００１７】
図１に、本発明の一実施形態に係る加脂剤を模式的に示す。この加脂剤（以下、本剤という）Ｋは、生皮（ｈｉｄｅ、ｓｋｉｎ）を塩漬、乾燥等して得られる皮（原料皮）を処理して革（ｌｅａｔｈｅｒ）にする工程において使用されるものとされる。
【００１８】
本剤Ｋは、基剤１に、健康増進作用を有する健康増進物質の粉末２を所定割合で混入してなるものとされる。
【００１９】
基剤１は、公知の各種加脂剤とすることができ、その組成について特に限定はない。
【００２０】
粉末２は、フエルグソン石、サマルスキー石、ゼノタイム、モナザイト（モナズ石）、褐簾石、変種ジルコン、ガドリン石、イットリア石といった放射性を有するレアアース鉱石と、石英、長石、珪酸塩鉱物といった遠赤外線放射作用のある遠赤外線照射体とを混合し、これを皮の組織内部に入り込ませることができるサイズに粉砕してなるものとされる。前記サイズは、０．５μｍ〜５μｍとされればよいが、その平均が１μｍとされるのが好ましい。
【００２１】
粉末２の本剤Ｋ中における割合は、９重量％〜１５重量％の範囲とされる。粉末２の割合を前記の如くするのは、９重量％未満であれば健康増進作用を充分に発揮させるのが困難である一方、１５重量％を超えれば加脂剤としての機能を損なうからである。
【００２２】
しかして、本剤Ｋは、粉末２のレアアース鉱石が発する放射線の電離により、ハイドロニウムイオンＨ３Ｏ＋・（Ｈ２Ｏ）ｎなどの陽イオンを生成するとともに、Ｏ２−・（Ｈ２Ｏ）ｎ、ＣＯ４−・（Ｈ２Ｏ）ｎなどのマイナスイオンを生成する。このマイナスイオンには、以下のような作用のあることが知られている。
【００２３】
（１）副交感神経に作用して自律神経の調節を活発にし、これによってストレスを緩和し精神を安定化させる。
【００２４】
（２）生体細胞の機能を活性化し、身体機能を向上させる。
【００２５】
（３）体質をアルカリ化し、免疫力を向上させる。
【００２６】
また、粉末２は遠赤外線照射体を含むため、遠赤外線による温熱効果も発揮する。
【００２７】
なお、粉末２は原料が法律（核原料物質、核燃料物質及び原子炉の規制に関する法律）により届出が義務づけられていない程度の放射線濃度のものとなるように成分が調整される。
【００２８】
図２に、本剤Ｋにより処理されて健康増進作用を有する機能が付与された革Ｌの断面を模式的に示す。
【００２９】
革Ｌは、健康増進作用を付加するための特段の工程を付加することなく、加脂剤としての本剤Ｋを用いた通常の工程により製造される。すなわち、本剤Ｋを従来の加脂剤と同様に、他の処理剤に混入して原料皮をなめすなどすることにより革Ｌが得られる。なお、図３中の符号３は革繊維を示す。
【００３０】
このように、本剤Ｋは原料皮をなしめて革とする際に通常使用される加脂剤と同様に使用できるので、工数の増加を伴うことなく健康増進作用を有する革Ｌを製造することができる。これにより、製造コストの上昇を抑えることが可能となる。
【００３１】
また、健康増進物質の粉末２は革繊維３に含浸させられていること、および革は洗濯される頻度が少ないこととにより革から脱落する機会が少ないので、健康増進作用を永続的なものとすることが可能となる。
【００３２】
【実施例】
以下、本発明をより具体的な実施例により説明する。
【００３３】
実施例１〜２および比較例１〜２
本剤Ｋ（成分は、基材１：９０重量％、粉末２：１０重量％（ここで、粉末２は前掲レアアース鉱石の粉末を混合して放射能レベルを３３０Ｂｑ／ｇに調整してなるもので、そのサイズは０．５μｍ〜５μｍであって１μｍ以下のものが全体の５０％を占める。））を加脂剤として用いて処理されて得られた革（テイコンＲ＃２０００（商品名））（実施例１）と、基材１のみを加脂剤として用いて処理されて得られた革（比較例１）の表面付近のマイナスイオンの個数を、下記条件の下で測定した。その結果を図３（ａ）にテーブル図でそれぞれ示す。
【００３４】
また、実施例１の革を染色加工した加工物（実施例２）と、比較例１の革を実施例２と同様に染色加工した加工物（比較例２）の表面付近のマイナスイオンの個数を、下記条件の下で測定した。その結果を図３（ｂ）にテーブル図でそれぞれ示す。
【００３５】
測定条件
測定器具：神戸電波株式会社製  マイナスイオン測定器  ＫＳＴ−９００
測定場所：京都市染織試験場
試験室室内イオン数：１５０個／ｃｃ、
試験室室内温度：３２℃
試験室室内湿度：６５％
【００３６】
なお、表中、「平均値」は測定結果の平均値（単位：個／ｃｃ）を示し、「範囲」は測定結果の最小値（単位：個／ｃｃ）と最大値（単位：個／ｃｃ）の間を示す。また、「表」は皮の表面における測定結果を示し、「裏」は皮の裏面における測定結果を示す。
【００３７】
同図に示すように、実施例１〜２のいずれにおいても比較例１〜２に対してイオン数が有意に増加しており、本剤Ｋを加脂剤として用いることによって健康増進作用を有する革を製造することが可能であることが分る。
【００３８】
以上、本発明を実施形態および実施例により説明したが、本発明は種々改変が可能である。
【００３９】
例えば、実施形態では皮から革を製造する場合について説明されているが、本発明の適用は毛皮の製造についても適用できる。
【００４０】
【発明の効果】
以上詳述したように、本発明の加脂剤は、従来の加脂剤と同様に使用することができるばかりでなく、革に健康増進作用を生じさせる機能を付与できるという優れた効果を奏する。
【００４１】
また、健康増進物質の粉末は、基剤に随伴して皮繊維に浸透するので、長期間に亘って健康増進作用を維持できるという優れた効果も奏する。
【図面の簡単な説明】
【図１】本発明の一実施形態に係る加脂剤の組成を示す模式図である。
【図２】同加脂剤を用いて得られた革の断面を示す模式図である。
【図３】実施例１〜２および比較例１〜２のマイナスイオン数を実測した測定結果を示すテーブル図である。
【符号の説明】
Ｋ        加脂剤
Ｌ        革
１        基剤
２        健康増進物質粉末
３        革繊維
【図１】
2004175835.tif 000003
【図２】
2004175835.tif 000004
【図３】
2004175835.tif 000005